(57)【要約】【課題】常に防水保護状態で使用可能にする。【解決手段】この防水性携帯電話機１は、スピーカ１８，マイクロフォン１９，ダイヤルキー及び表示画面等ある操作面１３を残して、携帯電話機本体１１の背面からゴム製防護カバー１２によって、操作面１３の周囲にきつく密着して携帯電話機本体１１の全体が包み込まれた構成になっている。また、操作面１３の周囲にきつく密着して携帯電話機本体１１の底面との空間には、携帯電話機本体１１の底面とほぼ同じ形状の金属部材１６を一番底にして浮力部材１５とが重ね合わされて入っていて、携帯電話機本体１１の操作面１３の周囲はゴム製防護カバー１２によって、スピーカ１８及びマイクロフォン１９の部分を除いてきつく密着されて包み込まれている。【選択図】　　　図１
2004064139.tif 000002
【特許請求の範囲】
【請求項１】
携帯電話機本体の表示画面，スピーカ，マイクロフォン，ダイヤルキーを含む操作面の全周囲を密封して覆うように、前記携帯電話機本体の背面から前記携帯電話機本体全体を伸張して包み込んだゴム製防護カバーと、前記背面下の前記ゴム製防護カバー内に、前記背面とほぼ同じ形状で板状の浮力部材と、この浮力部材の下に板状の金属部材とを有することを特徴とする防水性携帯電話機。
【請求項２】
前記浮力部材及び前記金属部材のそれぞれは、全体が川や池等の水のある場所に落下した場合でも、前記操作面が水面より上に浮かすことのできる容積及び重量であることを特徴とする請求項１記載の防水性携帯電話機。
【請求項３】
前記携帯電話機本体のアンテナのある根元の部分には前記ゴム製防護カバーはゴムパッキンされていて、前記ゴム製防護カバー内に水の侵入を防止していることを特徴とする請求項１記載の防水性携帯電話機。
【請求項４】
携帯電話機本体の表示画面，スピーカ，ダイヤルキーを含む操作面の側面及び、マイクロフォンのある側の操作面と充電端子のある側面を除いた部分全体を箱状の内部に接着材で接着される第１の浮力部材と、前記第１の浮力部材の背面及び前記マイクロフォンのある側の両側面にくさび状に密着して入り込んで前記充電端子のある側から前記第１の浮力部材と接続する凹状の第２の浮力部材と、前記第１の浮力部材の背面に埋め込まれて接着材で接着された金属部材とを有することを特徴とする防水性携帯電話機。
【請求項５】
前記第１及び第２の浮力部材及び前記金属部材のそれぞれは、全体が川や池等の水のある場所に落下した場合でも、前記操作面が水面より上に浮かすことができる容積及び重量であることを特徴とする請求項４記載の防水性携帯電話機。
【請求項６】
前記携帯電話機本体のアンテナのある根元の部分には前記第１の浮力部材はゴムパッキンされて、前記携帯電話機本体内に水の浸入を防止していることを特徴とする請求項４記載の防水性携帯電話機。
【請求項７】
前記浮力部材及び前記第１，第２の浮力部材は発砲樹脂で構成され、前記発砲樹脂は、発砲スチロール，発砲ポリエチレン，発砲ポリプロピリンまたはウレタンを含み、前記金属部材は、錆びにくい金属材で鉛材，アルミ材またはステンレス材を含むことを特徴とする請求項１，４記載の防止性携帯電話機。
【発明の詳細な説明】
【０００１】
【発明の属する技術分野】
本発明は防水性携帯電話機に関し、特に浮力機能又は防水保護機能付きの防水性携帯電話機に関する。
【０００２】
【従来の技術】
この種の従来の技術について図面を参照して説明する。
【０００３】
図６は従来の防護カバー付携帯電話機の一例を示す正面図、図７は図６に示す従来例の縦断断面図である。
【０００４】
図６、図７において、この防護カバー付携帯電話機は、特開２００１−３７５１８の開示内容を示し、この防護カバー１０１は、柔軟性のあるシートで袋体１０２を形成し、その袋体１０２の入口部を、防水性ファスナやジップロック（商品名）などの水密封止具１０３を設けてその封止具１０３で開閉自在に閉じるようにしている。
【０００５】
袋体１０２は、主体部を防水性、撥水性のあるシートで形成し、必要箇所に防水性クリア素材から成る窓１０４を設けている。
【０００６】
袋体１０２の主体部を形成するシート素材としては、例えば、ジャパンゴアテックス社のゴアテックス（商標）、東レ社のエトラント（同じく商標）などに代表される延伸フッソ樹脂フィルム又はポリウレタン微多孔皮膜を好適に利用できる。
【０００７】
この延伸フッソ樹脂フィルムは微細な気孔を有し、外部からの水は透過させないが内側からの音や熱及び水蒸気などは通し易い性質をもつ。同様の機能をもつ素材としてアミノ酸ポリマーコーティング素材などもあり、そのような他の素材で袋体２の主体部を形成することもできる。
【０００８】
窓１０４は、主体部を形成するシート素材に穴をあけ、そこに透明或いは半透明のフィルムを水密に接合して作られている。この窓１０４は、収納する機器の表示部や操作部を外部に透かして見せるための窓であり、この窓１０４を介して収納した機器を外部から操作することができる。
【０００９】
例示の防護カバー１０１の内部には、図７に示すフロート材１０５を組み込んでいる。そのフロート材１０５としては、例えば、発砲クロロプレンゴムなどを利用することができる。図のフロート材１０５は、袋体１０２とは別体のものを挿入したが、袋体１０２の一部がフロート材であってもよい。
【００１０】
【発明が解決しようとする課題】
この従来例の携帯電話機は防護カバーに入った状態では、川や池等に落とした場合に、防水に優れているが、携帯電話機を使用する場合には、必ず防護カバーから出さねばならないという問題点がある。
【００１１】
（発明の目的）
本発明の目的は、川や池等に落ちても操作面を上にして水面上に浮き、また防水の保護機能を有した防水性携帯電話機を提供することにある。
【００１２】
【課題を解決するための手段】
本発明の防水性携帯電話機は、携帯電話機本体の表示画面，スピーカ，マイクロフォン，ダイヤルキーを含む操作面の全周囲を密封して覆うように、前記携帯電話機本体の背面から前記携帯電話機本体全体を伸張して包み込んだゴム製防護カバーと、前記背面下の前記ゴム製防護カバー内に、前記背面とほぼ同じ形状で板状の浮力部材と、この浮力部材の下に板状の金属部材とを有し、前記浮力部材及び前記金属部材のそれぞれは、全体が川や池等の水のある場所に落下した場合でも、前記操作面が水面より上に浮かすことのできる容積及び重量であり、前記携帯電話機本体のアンテナのある根元の部分には前記ゴム製防護カバーはゴムパッキンされていて、前記ゴム製防護カバー内に水の侵入を防止し、前記浮力部材及び前記第１，第２の浮力部材は発砲樹脂で構成され、前記発砲樹脂は、発砲スチロール，発砲ポリエチレン，発砲ポリプロピリンまたはウレタンを含み、前記金属部材は、錆びにくい金属材で鉛材，アルミ材またはステンレス材を含んでいる。
【００１３】
本発明の防水性携帯電話機は、携帯電話機本体の表示画面，スピーカ，ダイヤルキーを含む操作面の側面及び、マイクロフォンのある側の操作面と充電端子のある側面を除いた部分全体を箱状の内部に接着材で接着される第１の浮力部材と、前記第１の浮力部材の背面及び前記マイクロフォンのある側の両側面にくさび状に密着して入り込んで前記充電端子のある側から前記第１の浮力部材と接続する凹状の第２の浮力部材と、前記第１の浮力部材の背面に埋め込まれて接着材で接着された金属部材とを有し、前記第１及び第２の浮力部材及び前記金属部材のそれぞれは、全体が川や池等の水のある場所に落下した場合でも、前記操作面が水面より上に浮かすことができる容積及び重量であり、前記携帯電話機本体のアンテナのある根元の部分には前記第１の浮力部材はゴムパッキンされて、前記携帯電話機本体内に水の浸入を防止し、前記浮力部材及び前記第１，第２の浮力部材は発砲樹脂で構成され、前記発砲樹脂は、発砲スチロール，発砲ポリエチレン，発砲ポリプロピリンまたはウレタンを含み、前記金属部材は、錆びにくい金属材で鉛材，アルミ材またはステンレス材を含んでいる。
【００１４】
【発明の実施の形態】
次に、本発明について図面を参照して説明する。
【００１５】
図１は本発明の第１の実施の形態の携帯電話機を示す正面模式図、図２は図１に示す本第１の実施の形態の携帯電話機を側断面模式図である。
【００１６】
図１，図２において、本第１の実施の形態の防水性携帯電話機１は、スピーカ１８，マイクロフォン１９，ダイヤルキー及び表示画面等のある操作面１３を残して、携帯電話機本体１１の背面からゴム製防護カバー１２によって、操作面１３の周囲にきつく密着して携帯電話機本体１１の全体が包み込まれた構成になっている。
【００１７】
図２に示すように、ゴム製防護カバー１２と携帯電話機本体１１の底面との空間には、携帯電話機本体１１の底面とほぼ同じ形状の金属部材１６を一番底にして浮力部材１５とが重ね合わされて入っていて、携帯電話機本体１１の操作面１３の周囲はゴム製防護カバー１２によって、スピーカ１８及びマイクロフォン１９の部分を除いてきつく密着されて包み込まれている。
【００１８】
浮力部材１５の厚さＤ１、及び金属部材１６の厚さＤ２は、防水性携帯電話機１が、川や池等に落下した場合を想定して、操作面１３を上にして水面に浮かぶように、それぞれの材質に応じて、設定されている。
【００１９】
また、ゴム製防護カバー１２のアンテナ１７を挿入する部分にはゴム状のパッキン１４があり、アンテナ１７根元の部分からの水の浸入を防止している。
【００２０】
このように、本第１の実施の形態の防水性携帯電話機１は、携帯電話機本体１１が常にゴム製防護カバーで包まれた状態で使用できるので、夜間、川や池等に不意に落とした場合でも、常に、操作面１３が上に向いて水面に浮かぶので、操作面１３上の着信表示等の発光によって、容易に発見することができる。
【００２１】
また、充電する場合には、充電端子部がある下底面部のみゴム製防護カバー１２を捲ることによって、容易に充電する事も可能である。
【００２２】
尚、金属部材１６の形状は、その材質比重によっては携帯電話機本体１１の底面と同じ形状にする必要はない。
【００２３】
次に、本発明の第２の実施の形態について図面を参照して説明する。図３は、本発明の第２の実施の形態の防水性携帯電話機を示す正面模式図、図４は、図３に示す本第２の実施の形態の防水性携帯電話機を示す底面模式図、図５は、図３に示す本第２の実施の形態の防水性携帯電話機を示す側断面模式図である。
【００２４】
図３，図４及び図５において、本第２の実施の形態の防水性携帯電話機２は、スピーカ２８，マイクロフォン２９，ダイヤルキー及び表示画面等がある操作面２３を残して、携帯電話機本体２１の背面から、全体が箱状になった、アンテナ２７のある上部の浮力部材（Ａ部）２５ａと充電端子部（図示せず）のある下部の浮力部材（Ｂ部）２５ｂとによって、きつく密着して、携帯電話機本体２１の全体が包み込まれた構成されている。
【００２５】
図４，図５に示すように、浮力部材（Ａ部）２５ａの背面には、金属部材２６が接着剤によって貼り付けられて、金属部材２６の厚さ分埋め込まれ、その箱状の内部は、携帯電話機本体２１との接触面と接着剤によって接着されている。
【００２６】
また、図３，図４に示すように浮力部材（Ｂ部）２５ｂは、携帯電話機２１の充電端子部のある下部を包み込むようになっており、浮力部材（Ａ）２５ａと、くさび形状で切り込まれて封止接続し、充電時には、取り外しができる構造になっている。箱状になっている浮力部材（Ａ部）２５ａ，（Ｂ部）２５ｂの周囲の厚さ、底面の厚さ及び金属部材２６の厚さは、携帯電話機２が、川や池等に落下した場合を想定して、操作面２３を上にして水面に浮かぶように、それぞれの材質に応じて、設定されている。
【００２７】
また、浮力部材（Ａ部）２５ａのアンテナ２７を挿入する部分にはゴム状のパッキン２４があり、アンテナ２７の根元の部分からの水の浸入を防止している。
【００２８】
このように、本第２の実施の形態の携帯電話機２においても、携帯電話機本体２１が浮力部材（Ａ部）２５ａ，（Ｂ部）２５ｂで常に包まれた状態で、使用できるので、夜間、川や池等に不意に落とした場合でも、常に、操作面２３が上に向いて状態が水面に浮かぶので、操作面２３上の着信表示等の発光によって、容易に発見することができる。
【００２９】
また、充電する場合には、充電端子部がある下底面部の浮力部材（Ｂ）２５ｂのみを取り外すことによって、容易に充電することも可能である。
【００３０】
以上に示した第１及び第２の実施の形態の防水性携帯電話機１及び２に使用される浮力部材１５、浮力部材（Ａ部）２５ａ，浮力部材（Ｂ部）２５ｂの具体的材料として使用される発砲樹脂材として、例えば、発砲スチロール，発砲ポリエチレン，発砲ポリプロピリン，ウレタン等がある。また、金属部材１６，２６としては錆びにくい鉛材，アルミ材，ステンレス材等がある。
【００３１】
【発明の効果】
以上説明したように本発明は、携帯電話機本体の表示画面，スピーカ，マイクロフォン，ダイヤルキーを含む操作面の全周囲を密封して覆うように、前記携帯電話機本体の背面から携帯電話機本体全体を伸張して包み込んだゴム製防護カバーと、背面下のゴム製防護カバー内に、背面とほぼ同じ形状で板状の浮力部材と、この浮力部材の下に板状の金属部材とを有し、浮力部材及び金属部材のそれぞれは、全体が川や池等の水のある場所に落下した場合でも、操作面が水面より上に浮かすことのできる容積及び重量であることにより、下記に示す効果を有する。
【００３２】
即ち、常に、浮力部材をつけた状態で使用しているので、川や池等に不意に落下しても、水面に浮かばせることができ、また、操作面を上にして浮かせるので、着信等によって表示面の発光を見ることができて、夜間でも容易に発見することができる効果がある。
【図面の簡単な説明】
【図１】本発明の第１の実施の形態の防水性携帯電話機を示す正面模式図である。
【図２】図１に示す本第１の実施の形態の防水性携帯電話機を示す側断面模式図である。
【図３】本発明の第２の実施の形態の防水性携帯電話機を示す正面模式図である。
【図４】図３に示す本第２の実施の形態の防水性携帯電話機を示す底面模式図である。
【図５】図３に示す本第２の実施の形態の防水性携帯電話機を示す側断面模式図である。
【図６】従来の防護カバー付携帯電話機の一例を示す正面図である。
【図７】図６に示す従来例の縦断面図である。
【符号の説明】
１，２　　防水性携帯電話機
１１，２１　　携帯電話機本体
１２　　ゴム製防護カバー
１３，２３　　操作面
１４，２４　　パッキン
１５　　浮力部材
２５ａ　　浮力部材（Ａ部）
２５ｂ　　浮力部材（Ｂ部）
１６，２６　　金属部材
１７，２７　　アンテナ
１８，２８　　スピーカ
１９，２９　　マイクロフォン
【図１】
2004064139.tif 000003
【図２】
2004064139.tif 000004
【図３】
2004064139.tif 000005
【図４】
2004064139.tif 000006
【図５】
2004064139.tif 000007
【図６】
2004064139.tif 000008
【図７】
2004064139.tif 000009